(57)【要約】【課題】広告付き画像の印刷において、サービス提供者の要求に沿う広告を印刷するための技術を提供することを目的とするものである。【解決手段】本願明細書に開示される技術に関する画像印刷装置は、広告情報の構成要素の情報である広告部品（２２）の条件を定める広告条件（２１）を設定する広告条件設定部（３）と、広告条件（２１）に基づいて、広告部品（２２）を提供する広告部品提供部（６）と、印刷対象画像と、複数の広告部品（２２）から構成される広告情報との、印刷領域における配置を設定する配置設定部（５）とを備える。【選択図】図２
2020005159.tif 000002
【特許請求の範囲】
【請求項１】
印刷対象画像と広告情報とを同一の印刷媒体に印刷する画像印刷装置であり、
複数の構成要素から構成される前記広告情報のそれぞれの前記構成要素の情報である広告部品の条件を定める広告条件を設定する広告条件設定部と、
前記広告条件に基づいて、前記広告部品を提供する広告部品提供部と、
前記印刷対象画像と、複数の前記広告部品から構成される前記広告情報との、印刷領域における配置を設定する配置設定部とを備える、
画像印刷装置。
【請求項２】
前記広告条件は、それぞれの前記広告部品の前記印刷領域における配置割合を含み、
前記配置設定部は、前記配置割合に基づいて、複数の前記広告部品の配置を設定する、
請求項１に記載の画像印刷装置。
【請求項３】
前記広告条件は、それぞれの前記広告部品の配置の優先順位を含み、
前記配置設定部は、前記優先順位の高い順に、複数の前記広告部品の配置を設定する、
請求項１または請求項２に記載の画像印刷装置。
【請求項４】
前記印刷対象画像の属性情報を解析する画像解析部をさらに備え、
前記広告条件設定部は、前記属性情報を前記広告条件に含める、
請求項１から請求項３のうちのいずれか１項に記載の画像印刷装置。
【請求項５】
前記広告部品および前記広告条件は、ネットワークに接続された外部の記憶部に保存される、
請求項１から請求項４のうちのいずれか１項に記載の画像印刷装置。
【請求項６】
前記広告条件に基づいて、前記配置設定部によって配置される前記広告情報と関連する他の前記広告情報を決定する組み合わせ広告決定部をさらに備える、
請求項１から請求項５のうちのいずれか１項に記載の画像印刷装置。
【請求項７】
前記広告部品提供部から提供された複数の前記広告部品から構成される複数の前記広告情報のうちの少なくとも１つの前記広告情報を選択する広告情報選択部と、
前記広告情報選択部における選択結果を送信する結果送信部とをさらに備える、
請求項１から請求項６のうちのいずれか１項に記載の画像印刷装置。
【請求項８】
前記広告部品提供部は、前記広告条件に基づいて、前記広告情報へ誘導する情報である広告誘導情報を提供し、
前記広告誘導情報によって、対応する前記広告情報への誘導がなされたか否かを判定する誘導成否判定部をさらに備え、
前記配置設定部は、前記誘導成否判定部において前記広告情報への誘導がなされたと判定された場合、対応する前記広告情報を前記印刷領域に配置しない、
請求項１から請求項７のうちのいずれか１項に記載の画像印刷装置。
【請求項９】
印刷対象画像と広告情報とを同一の印刷媒体に印刷する画像印刷方法であり、
複数の構成要素から構成される前記広告情報のそれぞれの前記構成要素の情報である広告部品の条件を定める広告条件を設定し、
前記広告条件に基づいて、前記広告部品を提供し、
前記印刷対象画像と、複数の前記広告部品から構成される前記広告情報との、印刷領域における配置を設定する、
画像印刷方法。
【発明の詳細な説明】
【技術分野】
【０００１】
本願明細書に開示される技術は、画像印刷装置、および、画像印刷方法に関するものである。
【背景技術】
【０００２】
近年、デジタルカメラおよびインターネットの普及に伴い、ネットワークを利用して広告を配信し、さらに、写真と広告とが同一の印刷媒体に印刷される広告付き写真を印刷する写真印刷サービスが提供されている。
【０００３】
このような写真印刷サービスを提供する場所は、これまでは写真店または家電量販店であった。しかしながら近年ではこれらに限られず、コンビニエンスストア、薬局、ホテル、または、レストランなどの多種多様な業種の店舗などで当該サービスの提供が行われている。
【０００４】
従来の写真印刷装置においては、サービス利用者にとって興味のある最適な広告を提供するために、印刷を行う写真の属性情報からサービス利用者を特定し、さらに、サービス利用者の衣服の色の好みなどから最適な広告を選択した上で、広告付き写真を印刷する方法が提案されている（たとえば、特許文献１を参照）。
【先行技術文献】
【特許文献】
【０００５】
【特許文献１】特開２００９−２１０９４９号公報
【発明の概要】
【発明が解決しようとする課題】
【０００６】
従来の写真印刷装置における方法では、サービス提供者にとって企業イメージまたは店舗コンセプトに合わない広告が印刷された場合、サービス利用者のサービス提供者に対するイメージを悪くする恐れがあった。そのため、積極的に広告付きの写真印刷サービスを導入することができないという課題があった。
【０００７】
本願明細書に開示される技術は、以上に記載されたような問題を解決するためになされたものであり、広告付き画像の印刷において、サービス提供者の要求に沿う広告を印刷するための技術を提供することを目的とするものである。
【課題を解決するための手段】
【０００８】
本願明細書に開示される技術の第１の態様は、印刷対象画像と広告情報とを同一の印刷媒体に印刷する画像印刷装置であり、複数の構成要素から構成される前記広告情報のそれぞれの前記構成要素の情報である広告部品の条件を定める広告条件を設定する広告条件設定部と、前記広告条件に基づいて、前記広告部品を提供する広告部品提供部と、前記印刷対象画像と、複数の前記広告部品から構成される前記広告情報との、印刷領域における配置を設定する配置設定部とを備える。
【０００９】
本願明細書に開示される技術の第２の態様は、印刷対象画像と広告情報とを同一の印刷媒体に印刷する画像印刷方法であり、複数の構成要素から構成される前記広告情報のそれぞれの前記構成要素の情報である広告部品の条件を定める広告条件を設定し、前記広告条件に基づいて、前記広告部品を提供し、前記印刷対象画像と、複数の前記広告部品から構成される前記広告情報との、印刷領域における配置を設定する。
【発明の効果】
【００１０】
本願明細書に開示される技術の第１の態様は、印刷対象画像と広告情報とを同一の印刷媒体に印刷する画像印刷装置であり、複数の構成要素から構成される前記広告情報のそれぞれの前記構成要素の情報である広告部品の条件を定める広告条件を設定する広告条件設定部と、前記広告条件に基づいて、前記広告部品を提供する広告部品提供部と、前記印刷対象画像と、複数の前記広告部品から構成される前記広告情報との、印刷領域における配置を設定する配置設定部とを備えるものである。このような構成によれば、広告条件に基づいて提供された広告部品から構成される広告情報が、印刷対象画像とともに印刷領域に配置されるため、サービス提供者の要求に沿う広告付き写真を提供することができる。
【００１１】
本願明細書に開示される技術の第２の態様は、印刷対象画像と広告情報とを同一の印刷媒体に印刷する画像印刷方法であり、複数の構成要素から構成される前記広告情報のそれぞれの前記構成要素の情報である広告部品の条件を定める広告条件を設定し、前記広告条件に基づいて、前記広告部品を提供し、前記印刷対象画像と、複数の前記広告部品から構成される前記広告情報との、印刷領域における配置を設定する。このような構成によれば、広告条件に基づいて提供された広告部品から構成される広告情報が、印刷対象画像とともに印刷領域に配置されるため、サービス提供者の要求に沿う広告付き写真を提供することができる。
【００１２】
本願明細書に開示される技術に関する目的と、特徴と、局面と、利点とは、以下に示される詳細な説明と添付図面とによって、さらに明白となる。
【図面の簡単な説明】
【００１３】
【図１】実施の形態に関する、画像印刷装置のハードウェア構成の例を概略的に示す図である。
【図２】実施の形態に関する、画像印刷装置のソフトウェア構成の例を概念的に示す図である。
【図３】実施の形態に関する画像印刷装置の、広告情報が複数に分割された情報である広告部品の決定に関する動作フローチャートである。
【図４】実施の形態に関する、全配置領域、および、印刷対象画像の配置領域の配置条件の例を示す図である。
【図５】実施の形態に関する、広告部品の種類、さらには、広告部品ごとの優先順位および配置割合が設定された場合の、配置条件の例を示す図である。
【図６】実施の形態に関する広告部品配置管理部の、画像印刷装置の広告部品の配置を決定する動作を示すフローチャートである。
【図７】実施の形態に関する広告部品配置管理部の、画像印刷装置の広告部品の配置を決定する動作を示すフローチャートである。
【図８】実施の形態に関する、画像印刷装置の広告部品の配置の例を示す図である。
【図９】実施の形態に関する、画像印刷装置のソフトウェア構成の例を概念的に示す図である。
【図１０】実施の形態に関する、画像印刷装置のソフトウェア構成の例を概念的に示す図である。
【図１１】実施の形態に関する、画像印刷装置のソフトウェア構成の例を概念的に示す図である。
【発明を実施するための形態】
【００１４】
以下、添付される図面を参照しながら実施の形態について説明する。
【００１５】
なお、図面は概略的に示されるものであり、説明の便宜のため、適宜、構成の省略、または、構成の簡略化がなされるものである。また、異なる図面にそれぞれ示される構成などの大きさおよび位置の相互関係は、必ずしも正確に記載されるものではなく、適宜変更され得るものである。また、断面図ではない平面図などの図面においても、実施の形態の内容を理解することを容易にするために、ハッチングが付される場合がある。
【００１６】
また、以下に示される説明では、同様の構成要素には同じ符号を付して図示し、それらの名称と機能とについても同様のものとする。したがって、それらについての詳細な説明を、重複を避けるために省略する場合がある。
【００１７】
＜第１の実施の形態＞
以下、本実施の形態に関する画像印刷装置、および、画像印刷方法について説明する。
【００１８】
＜画像印刷装置の構成について＞
図１は、本実施の形態に関する画像印刷装置のハードウェア構成の例を概略的に示す図である。
【００１９】
図１において、画像印刷装置１００は、文字の入力または選択を行うキーボードおよびマウスなどの入力装置１０１と、写真の画像または選択画面などを表示する液晶ディスプレイなどのモニター１０２と、写真の画像データなどが保存されるメモリーカードなどからデータを読み込むデータ入力装置１０３と、制御プログラムおよび各種設定データを記憶する不揮発性メモリーと画像処理などのデータ処理のための一時記憶メモリーとを含むメモリー１０４と、メモリー１０４に保存されている制御プログラムにしたがって画像印刷装置１００の動作を制御するＣＰＵ１０５と、ＣＰＵ１０５で処理された印刷データに基づいて印刷を行う印刷装置１０６と、広告部品または広告条件などを保存するハードディスク１０７と、これらの構成間で相互にデータの授受を行うためのデータバス１０８とを備える。
【００２０】
なお、本実施の形態では、広告部品または広告条件などを保存するハードディスク１０７は、画像印刷装置１００内に備えられるように構成されたが、ハードディスク１０７は、画像印刷装置１００の外部に設けられてもよい。たとえば、画像印刷装置１００が、インターネットなどに接続される通信装置を備え、ハードディスク１０７は、サービス提供者が広告部品または広告条件などを入力または編集した結果を保存することができる、外部のサーバーとして構成されてもよい。
【００２１】
図２は、本実施の形態に関する画像印刷装置のソフトウェア構成の例を概念的に示す図である。また、図３は、本実施の形態に関する画像印刷装置の、広告情報が複数に分割された情報である広告部品の決定に関する動作フローチャートである。
【００２２】
図２に例が示されるように、画像印刷装置１００は、写真の画像データが保存されるメモリーカードなどのメディアなどから抽出された写真の画像データなどを入力するデータ入力部１と、入力された写真の画像データなどを選択する画像選択部２と、サービス提供者が広告条件２１を設定する広告条件設定部３と、選択された写真の属性情報４０を解析する画像解析部４と、設定された広告条件２１から広告部品２２とレイアウト情報２３とを取得する広告部品配置管理部５と、設定された広告条件２１に応じて最適な広告部品２２とレイアウト情報２３とを提供する広告部品提供部６と、広告部品配置管理部５によって送られた広告部品２２とレイアウト情報２３とに基づいて印刷データを作成する印刷データ作成部７と、印刷データ作成部７によって送られた印刷データを管理する印刷管理部８と、印刷管理部８の指示によって印刷を実行する印刷部９とを備える。
【００２３】
データ入力部１は、たとえば、メモリーカードリーダーなどであるデータ入力装置１０３において、カードメモリーから画像データなどを読み込む。
【００２４】
画像選択部２は、たとえば、タッチパネル付ディスプレイモニターなどで構成されるモニター１０２に表示される。サービス利用者が所有するメモリーカードに保存されたデジタルカメラなどで撮影された写真の画像データは、データ入力部１において読み込まれる。そして、画像選択部２は、データ入力部１において読み込まれた写真の画像データの選択画面を、モニター１０２に表示する。
【００２５】
そして、サービス利用者が画像選択部２を用いて、印刷対象となる写真などの画像（以下、印刷対象画像）を選択する（図３におけるステップＳＴ０１を参照）。そして、印刷対象画像は、画像解析部４と広告部品配置管理部５とに送られる。
【００２６】
画像解析部４では、選択された印刷対象画像が解析され、撮影日付、撮影場所、風景またはポートレイトなどの写真のカテゴリ、写真の色調、または、被写体である人物の年齢層または被写体である人物の好みなどの特徴要素または特徴量が、属性情報４０として抽出される（図３におけるステップＳＴ０２を参照）。
【００２７】
画像解析部４で抽出される属性情報４０には、画像サイズ、アスペクト種類、縦長画像か横長画像かの区別、画像の回転情報などの画像データ、画像データに付帯するｅｘｃｈａｎｇｅａｂｌｅ  ｉｍａｇｅ  ｆｉｌｅ  ｆｏｒｍａｔ（Ｅｘｉｆ）情報などの撮影情報データ、顔検出、ペットまたは人物判定、または、シーン分類などの、写真の画像データから取得することができるあらゆる情報が含まれていてもよい。
【００２８】
さらに、属性情報４０には、サービス利用者があらかじめ登録している利用者情報が含まれていてもよい。そして、画像解析部４で抽出された属性情報４０は、広告条件２１として保存される（図３におけるステップＳＴ０３を参照）。
【００２９】
なお、画像解析部４において行われる画像解析は、１つの印刷対象画像を対象とするものであってもよいし、複数または選択されたすべての印刷対象画像をまとめて画像解析の対象とするものであってもよい。
【００３０】
一方、サービス提供者は、広告条件設定部３を用いて、企業イメージまたはコンセプトに合わせて、写真に付加される広告の背景、背景デザイン、広告カテゴリ、または、サービス提供者にとって企業イメージまたは店舗コンセプトに合わない恐れのあるキーワードまたは対象年齢などの広告部品２２に対する制限事項をあらかじめ設定する。そして、サービス提供者は、それらの情報を、広告条件２１として保存する。
【００３１】
次に、広告部品配置管理部５は、設定された広告条件２１の取得を試みる（図３におけるステップＳＴ０４を参照）。そして、設定された広告条件を取得することができた場合、すなわち、図３に例が示されるステップＳＴ０５から分岐する「ＹＥＳ」に対応する場合には、広告部品配置管理部５は、取得した広告条件２１を広告部品提供部６に送る（図３におけるステップＳＴ０６を参照）。一方で、設定された広告条件を取得することができなかった場合、すなわち、図３に例が示されるステップＳＴ０５から分岐する「ＮＯ」に対応する場合には、広告部品配置管理部５は、広告条件２１がない旨を広告部品提供部６に伝達する（図３におけるステップＳＴ０７を参照）。
【００３２】
広告部品配置管理部５が、取得した広告条件２１を広告部品提供部６に送った場合、広告部品提供部６は、広告条件２１に基づいて広告部品２２を選定する。そして、広告部品提供部６は、広告部品の情報とレイアウト情報２３とを広告部品配置管理部５へ送る。
【００３３】
広告の情報を複数の広告部品２２に分割する単位としては、たとえば、背景色、デザイン、イラスト、ロゴまたはテキストなどの、広告を構成する複数の構成要素の情報の様々な単位での分割が想定される。
【００３４】
背景色およびデザインとしては、モノトーン系、アース系、原色系、暖色系、寒色系、チェック、ドットまたはデザイン系などのあらかじめ数種類の背景デザインを広告部品２２として保持しておく。そして、広告部品提供部６において、広告条件２１に基づいて、最適な背景色およびデザインが選択される。
【００３５】
また、単色の背景であれば、カラーコードまたはＲＧＢそれぞれの色の値で指定された背景色リストを広告部品２２としてあらかじめ保持していてもよい。
【００３６】
同様に、イラスト、ロゴ、テキスト、文字色またはフォントなどについても、複数種類の広告部品２２をあらかじめ保持しておく。そして、広告部品提供部６において、広告条件２１に基づいて適切なものが選択される。
【００３７】
たとえば、広告条件２１として、サービス利用者または被写体の年齢に着目してイラスト、ロゴ、テキスト、文字色またはフォントなどの広告部品２２の選定を行う場合には、子供向けには、たとえば、イラストのみの広告部品２２を選択する。そのようにすることによって、原色ベースのポップかつ楽しい広告を提供することができる。また、若者向けには、たとえば、小さな文字で詳細情報を記載し、かつ、ＵＲＬまたは２次元バーコードなどを用いてＷＥＢページの案内を行うような広告部品２２を選択する。そのようにすることによって、くだけた表現で身近に感じられる広告を提供することができる。また、年配者向けには、たとえば、大きな文字で落ち着いた色をベースに丁寧な表現を表示する広告部品２２を選択する。
【００３８】
このように、サービス利用者または被写体の年齢に着目する広告条件２１に基づいて、サービス利用者の感覚に近い広告部品２２を選択することによって、効果的な広告の提供が可能となる。
【００３９】
また、写真の撮影シーンに着目する広告条件２１に基づいて、たとえば、写真が結婚式におけるものである場合は、白基調の背景できれいな広告となるように、金色または銀色の使用、または、明朝体のフォントなどを広告部品２２を選択する。そのようにすれば、写真の雰囲気を壊さない広告の提供が可能となる。
【００４０】
また、写真の撮影シーンに着目する広告条件２１に基づいて、たとえば、海または空のエリアが大きな写真である場合には、空のエリア部分に広告飛行船を配置したり、海のエリア部分に広告船を浮かべたりするなど、アイデアを凝らした演出をする広告部品２２を選択する。そのようにすることによって、広告部品２２自体がデコレーションの１つとなり、サービス利用者に広告付き写真を長く保持してもらえる可能性を高める。そうすることによって、広告の持続的効果も期待することができる。
【００４１】
また、写真の撮影シーンに着目する広告条件２１に基づいて、たとえば、ポートレイトなどの人物写真である場合に、広告部品２２として、テキストを配置する際に吹き出しを利用して漫画のような広告を構成したり、写真に写された人物が着用している服のコーディネイト案を付加したりするなど、単に広告としての情報だけでなく、サービス利用者の写真自身が広告の一部になったり、サービス利用者に役に立つ情報を追加するなど、遊び心を持って広告を付加することができるものを選択する。そのようにすれば、さらに広告に興味を持ってもらうことを期待することができる。
【００４２】
なお、あらかじめサービス提供者によって設定された広告条件２１に基づいて、背景デザインの制限または禁止された文言の使用制限などを行うことによって、サービス提供者が安心して広告を提供することができる。
【００４３】
さらに、あらかじめサービス提供者によって設定された広告条件２１と画像解析部４における画像解析によって得られた広告条件２１とは、それぞれに付ける優先順位または重み付けを調整することによって、広告依頼者またはサービス提供者の意図に沿う広告を作成することが可能となる。
【００４４】
次に、広告部品２２の配置方法としては、たとえば、あらかじめ設定された広告条件２１にしたがって広告部品２２の配置が決定される方法がある（図３におけるステップＳＴ０８を参照）。ここで、図４は、実施の形態に関する、全配置領域、および、印刷対象画像の配置領域の配置条件の例を示す図である。また、図５は、実施の形態に関する、広告部品２２の種類、さらには、広告部品２２ごとの優先順位および配置割合が設定された場合の、配置条件の例を示す図である。
【００４５】
図４に例が示されるうちの全配置領域とは、印刷対象画像または広告部品２２を配置可能な全領域を示す。また、図４に例が示されるうちの印刷対象画像の配置領域とは、印刷対象画像が貼り付けられる領域を示す。印刷対象画像の配置領域は、たとえば、印刷対象画像の左上端部の位置と、印刷対象画像の画像サイズの縦横の長さとをそれぞれ割合で定義する。
【００４６】
また、図５に例が示されるそれぞれの広告部品（具体的には、イラストＡ、イラストＢ、テキストＡ、テキストＢおよびロゴ）に対して、それぞれの優先順位と印刷対象画像の画像サイズに対する配置領域の大きさの割合（すなわち、配置割合）とが定義される。
【００４７】
図６および図７は、広告部品配置管理部５の、画像印刷装置の広告部品の配置を決定する動作を示すフローチャートである。また、図８は、実施の形態に関する、画像印刷装置の広告部品の配置の例を示す図である。
【００４８】
広告部品配置管理部５が広告部品２２の配置を決定する動作の手順としては、まず、印刷する画像の大きさを示すデータである印刷画像サイズを取得する（図６におけるステップＳＴ２１を参照）。たとえば、図８における印刷画像サイズ２００を算出する。
【００４９】
次に、広告部品配置管理部５は、たとえば、図４および図５に例が示されたような印刷対象画像または広告部品２２の配置条件を取得する（図６におけるステップＳＴ２２を参照）。
【００５０】
次に、広告部品配置管理部５は、図４において設定された定義にしたがって、全配置領域を算出する（図６におけるステップＳＴ２３を参照）。たとえば、図８における全配置領域２０１を算出する。
【００５１】
さらに、広告部品配置管理部５は、図４において設定された定義にしたがって、印刷対象画像の配置領域を算出する（図６におけるステップＳＴ２４を参照）。たとえば、図８における印刷対象画像の配置領域２０２を算出する。
【００５２】
次に、広告部品配置管理部５は、印刷対象画像の画像データを取得する（図６におけるステップＳＴ２５を参照）。そして、広告部品配置管理部５は、印刷対象画像の配置領域に内接するようにアスペクトを維持したまま印刷対象画像のリサイズを行い、画像サイズを変更する（図６におけるステップＳＴ２６を参照）。画像サイズが決定された印刷対象画像は、左上基準で印刷対象画像の配置領域に配置される（図６におけるステップＳＴ２７を参照）。たとえば、図８における写真画像２０３を配置する。
【００５３】
ここで、広告部品配置管理部５は、印刷対象画像のリサイズを行う際、印刷対象画像の配置領域に外接するようにアスペクトを維持したまま印刷対象画像のリサイズを行った後、さらに、印刷対象画像の配置領域のサイズに合わせて印刷対象画像をトリミングしてもよい。
【００５４】
また、印刷対象画像を印刷対象画像の配置領域にセンタリングで配置したり、前後左右のオフセット位置を設定したりしてもよい。すなわち、印刷対象画像の配置位置は、上記に限定されるものではない。
【００５５】
印刷対象画像の配置位置と画像サイズとが決定されると、広告部品配置管理部５は、全配置領域と印刷対象画像の画像サイズとの差分に一定の割合（たとえば、差分の８０％）を乗算して、広告部品配置用の残領域を算出する（図７におけるステップＳＴ２８を参照）。図８においては、全配置領域２０１のうちの、写真画像２０３が配置された領域を除く領域に、一定の割合を乗算して広告部品配置用の残領域とする。
【００５６】
次に、広告部品配置管理部５は、算出された広告部品配置用の残領域を、たとえば図５のように設定された配置割合に基づいてそれぞれの広告部品２２に配分する。たとえば、図８に例が示されるように、イラストＡ、イラストＢ、テキストＡ、テキストＢおよびロゴのそれぞれに領域を配分する。
【００５７】
そして、広告部品配置管理部５は、それぞれの広告部品２２に配分された領域のサイズに合うように、アスペクトを維持したままそれぞれの広告部品２２のリサイズを行う。そして、広告部品配置管理部５は、それぞれの広告部品２２の画像サイズを決定する（図７におけるステップＳＴ２９を参照）。
【００５８】
ここで、広告部品２２のうちのテキストについては、割り当てられた領域のサイズに応じて文字サイズが決定されることとする。また、この場合、テキストの改行位置はあらかじめ設定されていてもよいし、割り当てられた領域のサイズにしたがって改行されてもよい。
【００５９】
次に、広告部品配置管理部５は、広告部品配置用の残領域に広告部品２２を配置することができるか否かを判断する（図７におけるステップＳＴ３０を参照）。
【００６０】
そして、広告部品配置用の残領域に広告部品を配置することができる場合、すなわち、図７に例が示されるステップＳＴ３１から分岐する「ＹＥＳ」に対応する場合には、広告部品配置管理部５は、優先順位の高い広告部品２２から順に広告部品配置用の残領域に配置していく（図７におけるステップＳＴ３３を参照）。
【００６１】
一方で、アスペクトの違いなどによって、決定された画像サイズでは広告部品配置用の残領域に広告部品２２を配置することができない場合、すなわち、図７に例が示されるステップＳＴ３１から分岐する「ＮＯ」に対応する場合には、広告部品配置管理部５は、広告部品配置用の残領域に内接するようにアスペクトを維持したまま、広告部品２２のリサイズを行う（図７におけるステップＳＴ３２を参照）。その後で、広告部品配置管理部５は、優先順位の高い広告部品２２から順に広告部品配置用の残領域に配置していく（図７におけるステップＳＴ３３を参照）。
【００６２】
広告部品配置管理部５は、上記の動作を、すべての広告部品２２の配置が完了するまで繰り返す。そして、広告部品配置管理部５は、すべての広告部品２２の配置が完了したか否かを判断する（図７におけるステップＳＴ３４を参照）。
【００６３】
そして、広告部品配置管理部５は、すべての広告部品２２の配置が完了した場合、すなわち、図７に例が示されるステップＳＴ３４から分岐する「ＹＥＳ」に対応する場合には、図７におけるステップＳＴ３５へ進む。そして、広告部品２２のレイアウト情報２３を生成する（図７におけるステップＳＴ３５を参照）。
【００６４】
一方で、広告部品配置管理部５は、配置が完了していない広告部品２２がある場合、すなわち、図７に例が示されるステップＳＴ３４から分岐する「ＮＯ」に対応する場合には、図７におけるステップＳＴ３０へ戻る。
【００６５】
このように、すべての広告部品２２を優先順位にしたがって順に広告部品配置用の残領域に配置することによって、広告部品配置管理部５は、印刷対象画像の配置領域以外の残領域に、広告部品２２を容易に配置することができる。
【００６６】
ここで、印刷対象画像またはそれぞれの広告部品２２を中央揃えまたは左右揃えなどを用いて上下左右に整列させることで、よりきれいな広告付き写真の作成が可能になる。
【００６７】
また、広告部品配置用の残領域のうち、一定の割合を余白部分領域とし、さらに、広告部品２２の配置される領域同士の間に一定の距離を設けることで、背景の枠を追加する。そうすることによって、均一な間隔で広告部品配置用の残領域に広告部品２２を配置することも可能になる。
【００６８】
また、広告部品２２を１つ配置するごとに広告部品配置用の残領域のうちの広告部品２２が未だ配置可能である領域の広さを再計算し、未だ配置される領域が配分されていないそれぞれの広告部品２２に領域を再分配することによって、余分な隙間の少ない広告付き写真の作成が可能になる。
【００６９】
また、広告条件２１に、広告部品配置用の残領域における複数に分割された領域の優先順位を設定しておけば、優先順位の高い領域に優先順位の高い広告部品２２を配置することができる。そうすることによって、広告依頼者の意図に沿う広告部品２２の配置を実現することができる。
【００７０】
ここで、印刷対象画像の配置領域はあらかじめ設定された領域としているが、印刷対象画像のアスペクトまたは解析結果によって、適宜印刷対象画像の配置領域が決定されてもよい。
【００７１】
また、広告部品２２の配置または大きさが広告部品２２の種別に応じてあらかじめ定められており、かつ、それぞれの広告部品２２の種別が広告条件２１にしたがって選定されることとすれば、さらに簡便に広告付き写真を作成することができる。
【００７２】
上記では、印刷対象画像の配置領域と広告部品２２の配置領域（すなわち、広告部品配置用の残領域）とは互いに完全に独立する領域とされているが、印刷対象画像の解析結果に基づいて、印刷対象画像のうちで、隠れても印刷内容に大きく影響しない領域があると判断された場合には、印刷対象画像の配置領域に重ねて広告部品の配置領域（すなわち、広告部品配置用の残領域）を設定することもできる。
【００７３】
次に、広告部品配置管理部５は、印刷対象画像とともに、広告部品２２とレイアウト情報２３とを印刷データ作成部７に送る。印刷データ作成部７は、レイアウト情報２３にしたがって、印刷対象画像の配置と複数の広告部品２２の配置とを行う。そして、印刷データ作成部７は、広告付き写真の印刷データを作成する（図３におけるステップＳＴ０９を参照）。
【００７４】
印刷データ作成部７で作成された広告付き写真の印刷データは、印刷管理部８に送られる。印刷管理部８は、印刷データ作成部７から送られた広告付き写真の印刷データを、さらに印刷部９に送る。印刷部９は、印刷管理部８から送られた広告付き写真の印刷データに基づいて、広告付き写真を印刷する（図３におけるステップＳＴ１０を参照）。
【００７５】
ここで、広告条件２１は、サービス提供者によってすべて設定されてもよいし、広告依頼者によって一部またはすべての設定がなされてもよい。
【００７６】
また、上記では、広告部品２２のレイアウト情報２３は広告部品提供部６において作成されているが、広告部品配置管理部５において広告部品２２のレイアウト情報２３が作成されてもよい。
【００７７】
また、広告部品提供部６は、広告部品配置管理部５と同一の装置に搭載される機能部であってもよいし、それぞれの機能部がインターネット上の別の装置に搭載されるものであってもよい。
【００７８】
また、広告の内容は、印刷対象画像ごとにそれぞれ決定されてもよいし、複数またはすべての印刷対象画像で同一としてもよい。さらに、広告の内容は同一であるが、広告部品２２または広告部品２２の配置がそれぞれの印刷対象画像で異なっていてもよい。
【００７９】
このように、印刷対象画像に広告を付加して広告付き写真の印刷を行う場合に、広告の情報を複数の広告部品２２に分割し、かつ、広告条件２１に合わせて最適な広告部品２２を選定することによって、効果的な広告提供が可能となる。
【００８０】
＜第２の実施の形態＞
本実施の形態に関する画像印刷装置、および、画像印刷方法について説明する。以下の説明においては、以上に記載された実施の形態で説明された構成要素と同様の構成要素については同じ符号を付して図示し、その詳細な説明については適宜省略するものとする。
【００８１】
＜画像印刷装置の構成について＞
図９は、本実施の形態に関する画像印刷装置のソフトウェア構成の例を概念的に示す図である。
【００８２】
図９に例が示されるように、画像印刷装置１００Ａは、図２に例が示された構成に、組み合わせ広告決定部１０を追加したものである。
【００８３】
組み合わせ広告決定部１０は、広告部品提供部６において選択された広告部品２２に基づいて、その広告部品２２と関連性の高い（すなわち、それらの広告部品２２によって構成される広告情報と関連性の高い）別の広告情報を決定する。
【００８４】
サービス提供者は、広告条件設定部３を用いて、組み合わせ可能な広告情報の最大数（以下、最大広告数）と広告の組み合わせ条件（以下、広告組み合わせ条件）とをそれぞれ設定しておく。
【００８５】
最大広告数および広告組み合わせ条件は、広告条件２１として保存される。そして、広告部品配置管理部５によって広告部品提供部６へ送られる。
【００８６】
広告部品提供部６は、広告条件２１に基づいて最適な広告部品２２（主広告）を選択し、かつ、選択した広告部品２２、最大広告数および広告組み合わせ条件を、それぞれ組み合わせ広告決定部１０へ送る。
【００８７】
組み合わせ広告決定部１０は、主広告に関連する広告情報を最大広告数分（第２から第ｎの広告）決定し、決定した結果を広告部品提供部６に送る。
【００８８】
関連する広告情報の決定方法としては、たとえば、あらかじめそれぞれの広告情報に業種、製品カテゴリまたはターゲット利用者などのキーワードを付加しておく。そして、キーワードの合致の程度に基づいて関連する広告情報を決定することができる。
【００８９】
または、それぞれの広告情報を分割して得られる広告部品２２の比較によって、同様の色調を有する広告部品２２を保持していること、または、テキスト内容が類似していることなどから決定してもよい。また、複数の広告情報があらかじめペアリングされていてもよい。
【００９０】
広告部品提供部６は、決定された複数の広告情報の中からそれぞれ広告条件２１に合致する広告部品２２を決定する。
【００９１】
広告条件２１に加えて、組み合わせを行うことによって得られる広告情報の広告部品２２のうち、色調またはテキスト内容の類似性を考慮して広告部品２２を選択することによって、より統一感のある広告が作成可能となる。
【００９２】
また、広告情報の組み合わせ条件は、サービス提供者によってすべて設定されてもよいし、広告依頼者によって一部またはすべての設定が可能としてもよい。
【００９３】
このように複数の広告情報を組み合わせることによって、サービス利用者にとって関連性の高い複数の広告情報が同時に印刷される。そのことによって、相乗効果による宣伝効果の拡大が期待することができる。
【００９４】
さらに、競合する広告情報を同時に印刷すれば、容易に比較可能な広告情報を提供することができるため、サービス利用者の興味を引くことも期待することができる。
【００９５】
＜第３の実施の形態＞
本実施の形態に関する画像印刷装置、および、画像印刷方法について説明する。以下の説明においては、以上に記載された実施の形態で説明された構成要素と同様の構成要素については同じ符号を付して図示し、その詳細な説明については適宜省略するものとする。
【００９６】
＜画像印刷装置の構成について＞
図１０は、本実施の形態に関する画像印刷装置のソフトウェア構成の例を概念的に示す図である。
【００９７】
図１０に例が示されるように、画像印刷装置１００Ｂは、図２に例が示された構成に、広告情報選択部１１および広告選択結果送信部１２を追加したものである。
【００９８】
広告情報選択部１１は、広告部品配置管理部５から入力される複数の広告情報のうち、１つまたは複数の広告情報を選択する。また、広告選択結果送信部１２は、広告情報選択部１１において選択された広告情報（すなわち、選択結果）を広告依頼者に送る。
【００９９】
サービス提供者は、広告条件設定部３において、通常の広告条件２１に加えて、複数の広告情報からサービス利用者が１つまたは複数の広告情報を選択可能なサービスを設定する。設定されたサービスは広告条件２１として保存される。そして、当該サービスを含む広告条件２１が、広告部品配置管理部５によって広告部品提供部６に送られる。
【０１００】
サービス利用者は、印刷対象画像を選択した後、広告情報選択部１１で表示された複数の広告情報のうちから１つまたは複数の広告情報を選択する。選択された広告情報は、広告選択結果送信部１２および印刷データ作成部７に送られる。そして、印刷データ作成部７において、選択された広告情報およびレイアウト情報２３にしたがって、印刷対象画像の配置と広告部品２２の配置とを行う。さらに、印刷部９において、印刷管理部８から送られた広告付き写真の印刷データに基づいて、広告付き写真を印刷する。
【０１０１】
なお、サービス利用者による広告情報の選択は、印刷対象画像ごとに行われてもよいし、複数の印刷対象画像でまとめて行われてもよい。また、複数の印刷対象画像に対して、同系列の複数の広告情報をまとめた広告群を選択することとしてもよい。
【０１０２】
一方、広告選択結果送信部１２は、広告情報選択部１１における広告選択の結果である広告選択結果２４を広告依頼者に送る。
【０１０３】
ここで、広告選択結果２４の送信方法としては、電子メールなどの通信手段が用いられてもよいし、サーバーなどにアップロードする仕組みであってもよい。
【０１０４】
また、広告選択結果送信部１２が、最終的に選択された広告情報だけでなく、サービス利用者が広告情報を選択する際の変更過程も含めて送ることによって、さらに詳しい情報提供が可能となる。
【０１０５】
このように、サービス利用者に複数の広告情報のうちから興味を持った広告情報を選択させて印刷することによって、より効果的な広告提供が可能になるとともに、サービス利用者にとっても好みに合う広告を印刷することができる。そのようにすることによって、付加価値の高いサービスを実現することができる。
【０１０６】
さらに、広告選択結果２４を広告依頼者に送ってフィードバックすることによって、当該情報をマーケティング情報として活用することができる。そのため、今後の効果的な広告配信に反映させることができる。
【０１０７】
＜第４の実施の形態＞
本実施の形態に関する画像印刷装置、および、画像印刷方法について説明する。以下の説明においては、以上に記載された実施の形態で説明された構成要素と同様の構成要素については同じ符号を付して図示し、その詳細な説明については適宜省略するものとする。
【０１０８】
＜画像印刷装置の構成について＞
図１１は、本実施の形態に関する画像印刷装置のソフトウェア構成の例を概念的に示す図である。
【０１０９】
図１１に例が示されるように、画像印刷装置１００Ｃは、図２に例が示された構成に、広告誘導成否判定部１３を追加したものである。
【０１１０】
広告誘導成否判定部１３は、広告情報へ誘導する情報である広告誘導情報２５を表示し、サービス利用者が指定の広告に誘導されたか否かを判定する。
【０１１１】
サービス提供者は、広告条件設定部３において、通常の広告条件２１に加えて、広告ＷＥＢページのＵＲＬまたは２次元バーコードなどである広告誘導情報を表示するサービスを設定する。設定されたサービスは広告条件２１として保存される。そして、当該サービスを含む広告条件２１が、広告部品配置管理部５によって広告部品提供部６Ｃに送られる。
【０１１２】
サービス利用者が印刷対象画像を選択した後、広告部品提供部６Ｃは、広告条件２１にしたがう広告部品２２Ｃを選定しつつ、広告条件２１にしたがう広告誘導情報２５を選定する。
【０１１３】
そして、広告部品配置管理部５は、広告部品提供部６Ｃから、広告条件２１に基づく広告部品２２および広告誘導情報２５を取得する。
【０１１４】
広告誘導情報２５は、広告部品配置管理部５から広告誘導成否判定部１３に送られる。そして、タッチパネルモニターなどに表示される。
【０１１５】
広告誘導成否判定部１３において、広告誘導情報２５として表示された広告ＷＥＢページのＵＲＬまたは２次元バーコードなどにしたがい、サービス利用者が指定のＷＥＢページなどにおける広告情報を閲覧したと判定されると、広告部品配置管理部５は、広告誘導が行われた広告誘導情報２５に対応する広告情報（すなわち、それを構成する複数の広告部品２２）を、広告部品配置用の残領域に配置しない。そして、広告誘導成否判定部１３は、印刷対象画像の画像データを印刷データ作成部７に送る。そして、印刷部９において、広告情報が印刷されない画像が印刷される。
【０１１６】
ここで、広告誘導成否判定部１３における広告誘導がなされたか否かの判定方法としては、たとえば、サービス利用者のスマートフォンと画像印刷装置１００Ｃとが無線通信で接続され、画像印刷装置１００Ｃが搭載するＷＥＢアプリケーションにアクセスすることによって、広告誘導が達成されたと判定することができる。
【０１１７】
また、当該ＷＥＢアプリケーションをインターネット上に配置し、画像印刷装置１００Ｃがインターネット上のＷＥＢアプリケーションと通信することによって、広告誘導が達成されたと判定する方法であってもよい。
【０１１８】
なお、広告誘導がなされたか否かの判定方法については、特に上記に限定されるものではなく、たとえば、指定のＷＥＢページをスマートフォンのスクリーンキャプチャーで取得し、画像印刷装置１００Ｃに送信させることなどによっても可能であり、その他の様々な方法が用いられてもよい。
【０１１９】
このように、サービス利用者が広告誘導情報２５を介して広告情報を閲覧することによって、実質的に、広告部品配置用の残領域に広告情報を印刷する領域が制限されない。よって、より多くの広告情報を提供することが可能となり、さらに最適な広告の提供が可能になる。
【０１２０】
また、サービス利用者は、印刷画像に広告が付加されることがないため、より積極的に広告誘導情報２５を用いるサービスを利用することができる。
【０１２１】
＜以上に記載された実施の形態によって生じる効果について＞
次に、以上に記載された実施の形態によって生じる効果の例を示す。なお、以下の説明においては、以上に記載された実施の形態に例が示された具体的な構成に基づいて当該効果が記載されるが、同様の効果が生じる範囲で、本願明細書に例が示される他の具体的な構成と置き換えられてもよい。
【０１２２】
また、当該置き換えは、複数の実施の形態に跨ってなされてもよい。すなわち、異なる実施の形態において例が示されたそれぞれの構成が組み合わされて、同様の効果が生じる場合であってもよい。
【０１２３】
以上に記載された実施の形態によれば、印刷対象画像と広告情報とを同一の印刷媒体に印刷する画像印刷装置は、広告条件設定部３と、広告部品提供部６と、配置設定部とを備える。ここで、配置設定部は、たとえば、広告部品配置管理部５に対応するものである。広告条件設定部３は、複数の構成要素から構成される広告情報の構成要素の情報である広告部品２２の条件を定める広告条件２１を設定する。広告部品提供部６は、広告条件２１に基づいて、広告部品２２を提供する。広告部品配置管理部５は、印刷対象画像と、複数の広告部品２２から構成される広告情報との、印刷領域における配置を設定する。
【０１２４】
また、以上に記載された実施の形態によれば、画像印刷装置は、プログラムを実行する処理回路であるＣＰＵ１０５と、実行されるプログラムを記憶する記憶装置であるメモリー１０４とを備える。そして、ＣＰＵ１０５がプログラムを実行することによって、以下の動作が実現される。
【０１２５】
すなわち、複数の構成要素から構成される広告情報の構成要素の情報である広告部品２２の条件を定める広告条件２１を設定される。そして、広告条件２１に基づいて、広告部品２２を提供される。そして、印刷対象画像と、複数の広告部品２２から構成される広告情報との、印刷領域における配置を設定される。
【０１２６】
このような構成によれば、広告条件２１に基づいて提供された広告部品２２から構成される広告情報が、印刷対象画像とともに印刷領域に配置されるため、サービス提供者の要求に沿う広告付き写真を提供することができる。また、広告情報を構成する一部の情報である広告部品２２に対して広告条件２１を課しているため、広告条件２１に合わない広告部品２２については代替する広告部品２２を用いて広告情報を構成することによって、広告付き写真に配置可能な広告情報の自由度を高めることができる。
【０１２７】
なお、これらの構成以外の本願明細書に例が示される他の構成については適宜省略することができる。すなわち、少なくともこれらの構成を備えていれば、以上に記載された効果を生じさせることができる。
【０１２８】
しかしながら、本願明細書に例が示される他の構成のうちの少なくとも１つを、以上に記載された構成に適宜追加した場合、すなわち、以上に記載された構成としては言及されなかった本願明細書に例が示される他の構成が適宜追加された場合であっても、同様の効果を生じさせることができる。
【０１２９】
また、以上に記載された実施の形態によれば、広告条件２１は、それぞれの広告部品２２の印刷領域における配置割合を含む。そして、広告部品配置管理部５は、配置割合に基づいて、複数の広告部品２２の配置を設定する。このような構成によれば、広告条件２１に基づいて広告部品２２の配置割合を変更し、効果的な広告を提供することができる。
【０１３０】
また、以上に記載された実施の形態によれば、広告条件２１は、それぞれの広告部品２２の配置の優先順位を含む。そして、広告部品配置管理部５は、優先順位の高い順に、複数の広告部品２２の配置を設定する。このような構成によれば、広告条件２１に基づいて優先順位の高い広告部品２２を優先的に配置することによって、たとえば、サービス利用者の興味を引きやすい広告を提供することができる。
【０１３１】
また、以上に記載された実施の形態によれば、画像印刷装置は、印刷対象画像の属性情報を解析する画像解析部４を備える。そして、広告条件設定部３は、属性情報を広告条件２１に含める。このような構成によれば、印刷対象画像の雰囲気と印刷される広告情報との相性が悪い場合などでは、広告条件２１によって当該組み合わせを回避することができる。したがって、上記の組み合わせに違和感を覚えることによってサービス利用者の広告情報に対する印象まで悪くなってしまうことを防ぐことができる。
【０１３２】
また、以上に記載された実施の形態によれば、広告部品および広告条件は、ネットワークに接続された外部の記憶部に保存される。ここで、外部の記憶部は、たとえば、ハードディスク１０７に対応するものである。このような構成によれば、広告部品および広告条件を記憶するための記憶容量を画像印刷装置において確保する必要がなくなるため、構成の自由度が増す。
【０１３３】
また、以上に記載された実施の形態によれば、画像印刷装置は、広告条件２１に基づいて、広告部品配置管理部５によって配置される広告情報と関連する他の広告情報を決定する組み合わせ広告決定部１０を備える。このような構成によれば、複数の広告情報を組み合わせることによって、サービス利用者にとって関連性の高い複数の広告情報が同時に印刷される。そのことによって、相乗効果による宣伝効果の拡大が期待することができる。
【０１３４】
また、以上に記載された実施の形態によれば、画像印刷装置は、広告情報選択部１１と、結果送信部とを備える。ここで、結果送信部は、たとえば、広告選択結果送信部１２に対応するものである。広告情報選択部１１は、広告部品提供部６から提供された複数の広告部品２２から構成される複数の広告情報のうちの少なくとも１つの広告情報を選択する。また、広告選択結果送信部１２は、広告情報選択部１１における選択結果を送信する。このような構成によれば、サービス利用者に複数の広告情報のうちから興味を持った広告情報を選択させて印刷することによって、より効果的な広告提供が可能になるとともに、サービス利用者にとっても好みに合う広告を印刷することができる。そのようにすることによって、付加価値の高いサービスを実現することができる。
【０１３５】
また、以上に記載された実施の形態によれば、広告部品提供部６は、広告条件２１に基づいて、広告情報へ誘導する情報である広告誘導情報２５を提供する。そして、画像印刷装置は、広告誘導情報２５によって、対応する広告情報への誘導がなされたか否かを判定する誘導成否判定部を備える。ここで、誘導成否判定部は、たとえば、広告誘導成否判定部１３に対応するものである。そして、広告部品配置管理部５は、広告誘導成否判定部１３において広告情報への誘導がなされたと判定された場合、対応する広告情報を印刷領域に配置しない。このような構成によれば、サービス利用者が広告誘導情報２５を介して広告情報を閲覧することによって、実質的に、広告部品配置用の残領域に広告情報を印刷する領域が制限されない。よって、より多くの広告情報を提供することが可能となり、さらに最適な広告の提供が可能になる。また、サービス利用者は、印刷画像に広告が付加されることがないため、より積極的に広告誘導情報２５を用いるサービスを利用することができる。
【０１３６】
以上に記載された実施の形態によれば、印刷対象画像と広告情報とを同一の印刷媒体に印刷する画像印刷方法において、複数の構成要素から構成される広告情報の構成要素の情報である広告部品２２の条件を定める広告条件２１を設定する。そして、広告条件２１に基づいて、広告部品２２を提供する。そして、印刷対象画像と、複数の広告部品２２から構成される広告情報との、印刷領域における配置を設定する。
【０１３７】
このような構成によれば、広告条件２１に基づいて提供された広告部品２２から構成される広告情報が、印刷対象画像とともに印刷領域に配置されるため、サービス提供者の要求に沿う広告付き写真を提供することができる。
【０１３８】
なお、これらの構成以外の本願明細書に例が示される他の構成については適宜省略することができる。すなわち、少なくともこれらの構成を備えていれば、以上に記載された効果を生じさせることができる。
【０１３９】
しかしながら、本願明細書に例が示される他の構成のうちの少なくとも１つを、以上に記載された構成に適宜追加した場合、すなわち、以上に記載された構成としては言及されなかった本願明細書に例が示される他の構成が適宜追加された場合であっても、同様の効果を生じさせることができる。
【０１４０】
また、特段の制限がない場合には、それぞれの処理が行われる順序は変更することができる。
【０１４１】
＜以上に記載された実施の形態における変形例について＞
以上に記載された実施の形態では、それぞれの構成要素の寸法、形状、相対的配置関係または実施の条件などについても記載する場合があるが、これらはすべての局面においてひとつの例であって、本願明細書に記載されたものに限られることはないものとする。
【０１４２】
したがって、例が示されていない無数の変形例、および、均等物が、本願明細書に開示される技術の範囲内において想定される。たとえば、少なくとも１つの構成要素を変形する場合、追加する場合または省略する場合、さらには、少なくとも１つの実施の形態における少なくとも１つの構成要素を抽出し、他の実施の形態の構成要素と組み合わせる場合が含まれるものとする。
【０１４３】
また、矛盾が生じない限り、以上に記載された実施の形態において「１つ」備えられるものとして記載された構成要素は、「１つ以上」備えられていてもよいものとする。
【０１４４】
さらに、以上に記載された実施の形態におけるそれぞれの構成要素は概念的な単位であって、本願明細書に開示される技術の範囲内には、１つの構成要素が複数の構造物から成る場合と、１つの構成要素がある構造物の一部に対応する場合と、さらには、複数の構成要素が１つの構造物に備えられる場合とを含むものとする。
【０１４５】
また、以上に記載された実施の形態におけるそれぞれの構成要素には、同一の機能を発揮する限り、他の構造または形状を有する構造物が含まれるものとする。
【０１４６】
また、本願明細書における説明は、本技術に関するすべての目的のために参照され、いずれも、従来技術であると認めるものではない。
【０１４７】
また、以上に記載された実施の形態で記載されたそれぞれの構成要素は、ソフトウェアまたはファームウェアとしても、それと対応するハードウェアとしても想定され、その双方の概念において、それぞれの構成要素は「部」または「処理回路」などと称される。
【０１４８】
また、本願明細書に開示される技術は、それぞれの構成要素が複数の装置に分散して備えられる場合、すなわち、システムのような態様であってもよいものとする。
【符号の説明】
【０１４９】
１  データ入力部、２  画像選択部、３  広告条件設定部、４  画像解析部、５  広告部品配置管理部、６，６Ｃ  広告部品提供部、７  印刷データ作成部、８  印刷管理部、９  印刷部、１０  組み合わせ広告決定部、１１  広告情報選択部、１２  広告選択結果送信部、１３  広告誘導成否判定部、２１  広告条件、２２，２２Ｃ  広告部品、２３  レイアウト情報、２４  広告選択結果、２５  広告誘導情報、４０  属性情報、１００，１００Ａ，１００Ｂ，１００Ｃ  画像印刷装置、１０１  入力装置、１０２  モニター、１０３  データ入力装置、１０４  メモリー、１０５  ＣＰＵ、１０６  印刷装置、１０７  ハードディスク、１０８  データバス、２００  印刷画像サイズ、２０１  全配置領域、２０２  配置領域、２０３  写真画像。
【図１】
2020005159.tif 000003
【図２】
2020005159.tif 000004
【図３】
2020005159.tif 000005
【図４】
2020005159.tif 000006
【図５】
2020005159.tif 000007
【図６】
2020005159.tif 000008
【図７】
2020005159.tif 000009
【図８】
2020005159.tif 000010
【図９】
2020005159.tif 000011
【図１０】
2020005159.tif 000012
【図１１】
2020005159.tif 000013